(57)【要約】【課題】単一の工具箱内において、収納部の他、適当な作業スペースと、部品、金具等の保持手段とを同時に提供することにより、部品、金具等の散逸を有効に防止する技術を提供する。【解決手段】眼鏡、時計等の精密機器の修理・加工等の作業を行うための作業用スペースとして用いられる作業部１３は、作業用プレート４０が、粘着シート３０によって、本体１０に固着されることによって形成される。金具・部品保持部１２は、本体１０の収納部１１を除く部分の底面全面に敷設された粘着シート３０が上面に付着された作業用プレート４０の外側から露出することにより形成される。【選択図】図１
2010260157.tif 000002
【特許請求の範囲】
【請求項１】
精密機器を加工するための工具を収納するための工具箱であって、
前記工具箱の所定の部位に、粘着面を表面に露出させた状態で粘着シートを敷設することにより形成される、加工の過程で前記精密機器から取り外された部品を保持するための部品保持部と、
板状体を、前記粘着面の少なくとも一部が露出するように、前記粘着シート上に貼着することにより形成される、前記精密機器の加工を行うためのスペースを提供するための作業部と、
を有する工具箱。
【請求項２】
前記粘着シートは、被着体の貼着と離脱を繰り返し行うことができるものである、
請求項１記載の工具箱。
【請求項３】
前記板状体は、前記粘着シート上に貼着された際、その外周から前記粘着面が５ｍｍ〜２０ｍｍ幅で露出するような大きさに形成されている、
請求項１記載の工具箱。
【請求項４】
前記工具箱の所定の部位の外縁にはリブが設けられており、当該リブと前記板状体の端面を側面とし、前記露出した粘着面を底面とすることにより、前記部品保持部が凹溝状に形成されている、
請求項１記載の工具箱。
【請求項５】
前記板状体は、複数枚である、
請求項１記載の工具箱。
【発明の詳細な説明】
【技術分野】
【０００１】
本発明は、ドライバー、ピンセット等の手持ち工具等を収納するための工具箱に関するものである。
【背景技術】
【０００２】
手持ち工具等を収納するために、例えば、区画された複数の収納部を有する工具箱が知られている。手持ち工具等を用いて作業を行う作業者は、この工具箱を作業場に携帯し、工具箱に収納されている手持ち工具を用いて作業を行う。
しかしながら、例えば、眼鏡、時計等の精密機器について修理・加工等の作業を行う場合には、当該精密機器を傷つけることがなく、細かな作業がしやすい適当な作業スペースを、作業場において確保する必要がある。
【０００３】
一方、眼鏡、時計等の精密機器の部品や、それらの組み立てに用いられるねじ等の金具は極めて細かいため、作業の途中に、散逸しやすい。そのような、ねじ、ビス等の散逸を防止するために、ねじ、ビス等を挿脱自在に保持する保持手段を備えた整理具が存在している（例えば、特許文献１）。また、蓋体にねじ等を取着保持し得る取着体が設けられた収納箱も知られている（例えば、特許文献２）。
【先行技術文献】
【特許文献】
【０００４】
【特許文献１】特開２００５−２０７４４８
【特許文献２】特開２００３−２２０５８０
【発明の概要】
【発明が解決しようとする課題】
【０００５】
しかしながら、特許文献１及び特許文献２に記載の技術は、適当な作業スペースを提供するものではないため、作業を行う際には、作業場において適当な作業スペースを確保する必要があり、また、散逸防止のため、ねじ等を保持・取着する際には、整理具、収納箱とは別に確保された作業スペースから、整理具、収納箱までねじ等を逐一移動させ、収納する必要があり、途中で、落下等により紛失してしまうこともある。
【０００６】
本発明は、かかる背景のもと、単一の工具箱内において、収納部の他、適当な作業スペースと、部品、金具等の保持手段とを同時に提供することにより、部品、金具等の散逸を有効に防止することを主たる課題とする。
【課題を解決するための手段】
【０００７】
本発明の工具箱は、眼鏡、時計等の精密機器を加工するための工具を収納するための工具箱であって、前記工具箱の所定の部位に、粘着面を表面に露出させた状態で粘着シートを敷設することにより形成される、加工の過程で前記精密機器から取り外された部品を保持するための部品保持部と、板状体を、前記粘着面の少なくとも一部が露出するように、前記粘着シート上に貼着することにより形成される、前記精密機器の加工を行うためのスペースを提供するための作業部とを有する。このような構造の工具箱にあっては、部品保持部が、作業部の外側に連続して設けられるため、単一の工具箱内において、適当な作業スペースと、部品、金具等の保持手段とを同時に提供することができ、部品、金具等の散逸を有効に防止することができる。
【０００８】
ある実施の態様では、前記粘着シートは、被着体の貼着と離脱を繰り返し行うことができるものとしてもよい。その場合、部品、金具等の貼着と離脱を繰り返すことができ、同じ粘着シートを継続して使用することができる。
【０００９】
その他の実施の態様では、前記板状体は、前記粘着シート上に貼着された際、その外周から前記粘着面が５ｍｍ〜２０ｍｍ幅で露出するような大きさに形成されているものとしてもよい。また、前記工具箱の所定の部位の外縁にはリブが設けられており、当該リブと前記板状体の端面を側面とし、前記露出した粘着面を底面とすることにより、前記部品保持部が凹溝状に形成されているものとしてもよい。その場合、部品保持部は、細い凹溝状となることから、作業中に手や工具等と粘着シートと間の距離を保つことができ、粘着シートが不用意に触れて、くっついてしまうことを効果的に防止することができる。
【００１０】
また、ある実施の態様では、前記板状体は、複数枚としてもよい。その場合、複数枚の板状体を様々に配置することにより、作業内容に応じて、様々な形状、面積の、部品保持部を実現することができる。
【発明の効果】
【００１１】
本発明によると、単一の工具箱内で、作業スペースと部品、金具等の保持手段とを連続して設けたため、適当な作業スペースを別に確保する必要がなく、また、作業スペースから部品、金具等の保持手段への移動の際の部品、金具等の散逸をより効果的に防止することができる。
【図面の簡単な説明】
【００１２】
【図１】第１実施形態による工具箱の斜視図である。
【図２】第１実施形態による工具箱の本体の斜視図である。
【図３】第１実施形態による工具箱の本体の平面図である。
【図４】第１実施形態による工具箱の断面図である。
【図５】第２実施形態による工具箱の本体の斜視図である。
【図６】第２実施形態による工具箱の本体の平面図である。
【図７】第２実施形態による工具箱の断面図である。
【図８】第３実施形態による工具箱の本体の平面図である。
【発明を実施するための形態】
【００１３】
以下、図面を参照して、本発明の実施の形態例を説明する。
（第１実施形態）
図１乃至図４を参照して、第１実施形態について説明する。図１は、本発明の工具箱の斜視図である。図２は、本発明の工具箱の本体の斜視図である。図３は、本発明の工具箱の本体の平面図である。図４は、本発明の工具箱の本体の断面図である。
【００１４】
本実施形態の工具箱は、上方に開口を有する器体である本体１０と、本体１０の開口を覆う蓋体２０とを有している。
【００１５】
＜本体＞
本体１０は、樹脂製であって、矩形の器状に形成されており、その外縁にはリブが設けられており、内側が収納部１１と金具・部品保持部１２と作業部１３とに区画されている。本体１０の形状は、矩形状に限られず、楕円形、台形等であってもよい。
【００１６】
［収納部］
収納部１１は、矩形の器状で、内部に作業に用いるドライバー、ピンセット等の手持ち工具を収納することができる。収納部１１は、更に区画され、工具の他、ねじ、ビス等の金具や、眼鏡、時計等の精密機器の部品等を分別して収納できるものとしてもよい。収納部１１を金具・部品保持部１２と別個に設けず、金具・部品保持部１２の深さを深くして、収納部１１を兼ねるものとしてもよい。
【００１７】
［金具・部品保持部］
金具・部品保持部１２は、本体１０の収納部１１を除く部分の底面全面に敷設された粘着シート３０が上面に付着された作業用プレート４０の外側から露出することにより形成される。この金具・部品保持部１２は、粘着シート３０の粘着性により、ねじ等の金具や精密機器の部品を保持することができる。
【００１８】
粘着シート３０は、粘着性を有しており、その大きさは本体１０の収納部１１を除く部分の底面全面を覆う大きさである。
粘着シート３０は、上面が粘着性を有しており、被着体の貼着、離脱を繰り返しても粘着性が持続する。この粘着シート３０は、具体的には、ウレタン系樹脂、アクリル系樹脂、フッ素系樹脂、シリコンゴム、ブチルゴム等の材質を、薄膜状に成形したものである。このような材質で成形された粘着シート３０は、被着体の貼着、離脱を複数回繰り返した後でも、水洗することにより粘着性を回復することができる。また、この粘着シート３０には、両面テープを用いてもよい。両面テープを複数枚重ねて粘着シート３０として用いた場合には、粘着力が弱くなる度、最上面の両面テープを剥がし、新たな粘着面を露出させることにより、粘着力を回復することができる。
粘着シート３０の粘着力の大きさは、ねじ、ビス等を保持することができ、一旦保持したねじ、ビス等をピンセットなどで挟んで容易に離脱することができる程度であることが好ましい。
この粘着シート３０は、磁石とは異なり、磁力に反応しない樹脂製の部品等も保持することができる点で有利である。
【００１９】
［作業部］
作業部１３は、作業用プレート４０が、粘着シート３０によって、本体１０に固着されることによって形成され、例えば、眼鏡、時計等の精密機器の修理・加工等の作業を行うための作業用スペースとして用いられる。
【００２０】
作業用プレート４０は、厚みのある硬質ゴム製で、矩形平板状に形成される。その大きさは、粘着シート３０の全面を覆うことのないように、粘着シート３０より小さく形成される。
作業用プレート４０は、硬質ゴムで形成され、適度な弾力性があるため、作業がしやすいと同時に、眼鏡、時計等の精密機器を傷つけることがない。この作業用プレート４０としては、弾力がある材質のものが好ましく、例えば、硬質ゴムの他、プラスチック、木材等を用いることができる。
また、作業用プレート４０は、粘着シート３０より小さく形成されており、作業用プレート４０の粘着シート３０上への貼り付け後も、粘着シート３０が部分的に露出することとなり、その結果、作業部１３から連続して金具・部品保持部１２が形成される。作業用プレート４０の形状、大きさは、粘着シート３０より小さければ任意のものとすることができる。例えば、作業用プレート４０の大きさを変えることにより、金具・部品保持部１２の相対的な大きさを変更することができる。
さらに、作業用プレート４０は、厚みがあり、作業用プレート４０の端面と、本体の底面と、本体１０の外縁のリブとで断面倒コ字状の凹溝部を形成する。この凹溝部に部品等が嵌り込み、一旦底部の粘着シート３０で保持された部品等が、容易に転がり出ないようにすることができる。
また、作業用プレート４０は、粘着シート３０の上面に離脱自在に固着されるものとしてもよい。その場合、作業対象や作業内容に応じて、作業用プレート４０の位置を調整したり、大きさの異なる作業用プレートに交換したりすることが可能である。
【００２１】
＜蓋体＞
蓋体２０は、透明な樹脂材質によって、本体１０を覆うような大きさに形成されている。この蓋体２０は、例えば、その側端部が、蝶番等により、本体１０の側端部に開閉自在に取付けられるものとしてもよい。
【００２２】
本実施形態の工具箱は、作業部１３の外周に隣接して金具・部品保持部１２を設けたことから、単一の工具箱内で、作業スペースと部品、金具等の保持手段とが連続して設けられることとなり、作業スペースを別に確保する必要がなく、また、部品、金具等を、作業部１３から金具・部品保持部１２に転がし入れることにより、容易に保持しておくことができ、効果的に部品、金具等の散逸防止を図ることができる。
【００２３】
（第２実施形態）
次に、図５乃至図７を参照して、第２実施形態について説明する。図５は、第２実施形態の工具箱の本体の斜視図である。図６は、第２実施形態の工具箱の本体の平面図である。図７は、第２実施形態の工具箱の本体の断面図である。
【００２４】
この第２実施形態においては、作業用プレート４０を大きく形成し、粘着テープ３０上のほぼ中央に固着させることにより、金具・部品保持部１２を作業部１３の外周を囲む細帯状に形成する。金具・部品保持部１２の幅は、部品等が嵌り込むことができるが、手などが容易に嵌り込まないように、例えば、５ｍｍ〜２０ｍｍとする。その他の構成は前記第１実施形態と同様であり、図中、第１実施形態との対応部分には、同一の符号を付して、その説明を省略する。
【００２５】
このような第２実施形態によれば、金具・部品保持部１２は、細い凹溝状となることから、作業中に手や工具等と粘着シート３０と間の距離を保つことができ、粘着シート３０が不用意に触れて、くっついてしまうことを効果的に防止することができる。
また、金具・部品保持部１２が作業部１３の外周全周に亘って形成されるため、作業部１３から全方向に転がり落ちる部品、金具等を効果的に保持することができる。
【００２６】
（第３実施形態）
次に、図８を参照して、第３実施形態について説明する。図８は、第３実施形態の工具箱の本体の平面図である。
【００２７】
この第３実施形態においては、作業部１３を、４枚の作業用プレート４０によって形成し、金具・部品保持部１２を、作業部１３の外周のみならず、作業部１３の内側にも形成する。その他の構成は前記第１実施形態と同様であり、図中、第１実施形態との対応部分には、同一の符号を付して、その説明を省略する。
【００２８】
このように第３実施形態によれば、作業用プレート４０を複数枚用いることにより、金具・部品保持部１２を、作業部１３の内側にも形成することができ、作業内容に応じて、様々な形状、面積の金具・部品保持部１２を実現することができる。
なお、本実施形態では、作業用プレート４０をすべて同形状のものとしたが、各作業用プレートの大きさ、厚み、形状は、異ならせてもよい。
【符号の説明】
【００２９】
１０  本体
１１  収納部
１２  金具・部品保持部
１３  作業部
２０  蓋体
３０  粘着シート
４０  作業用プレート
【図１】
2010260157.tif 000003
【図２】
2010260157.tif 000004
【図３】
2010260157.tif 000005
【図４】
2010260157.tif 000006
【図５】
2010260157.tif 000007
【図６】
2010260157.tif 000008
【図７】
2010260157.tif 000009
【図８】
2010260157.tif 000010